(57)【特許請求の範囲】
【請求項１】
飲料容器本体の開口部にストローアダプターを着脱可能に装着するとともに、そのストローアダプターにストローを装着したストロー付飲料容器において、上記ストローアダプターにそのストローアダプターに装着されたストローの吸い口部を覆うことができるストローキャップを装着するとともに、上記ストローキャップの開動作によって空気孔開閉バルブを開くようにし、
上記飲料容器本体の外側面及び上記ストローアダプターの外周面に、上記ストローアダプターが所定の締め付け位置に回動されたときに互いに同一軸線状に位置する位置合わせ用突部が設けられており、
ストローアダプターに装着されたストローキャップの揺動軸に、ストローキャップと同時に回動され、ストローキャップに設けられた空気孔を開閉する空気孔開閉バルブを装着し、ストローキャップの開方向への揺動によって空気孔開閉バルブが開方向に作動され、
上記ストローキャップの揺動軸には、ストロー押さえが揺動自在に装着されており、ストローキャップには前記空気孔開閉バルブが開放した後に上記ストロー押さえをストロー解放方向に揺動させる駆動部が設けられていることを特徴とする、ストロー付飲料容器。
【請求項２】
ストローアダプターにストローキャップを水平軸線周りに揺動可能に装着するとともに、そのストローキャップを閉状態または開状態に保持するロック部材に空気孔開閉バルブの弁体を一体的に形成したことを特徴とする、請求項１記載のストロー付飲料容器。
【請求項３】
ロック部材に形成された弁体は、ストローアダプターに設けられた筒状の弁ケーシング内に同軸的に且つ回動可能に配設されるとともに、上下方向に延びる連通路を有し、ロック部材がストローキャップの閉状態解除方向に回動されたときに、上記連通路が上記弁ケーシングに形成された空気孔に連通され空気孔を開放するように構成されていることを特徴とする、請求項２記載のストロー付飲料容器。
【請求項４】
ストローアダプターの側面には指掛かりが設けられていることを特徴とする、請求項１乃至３のいずれかに記載のストロー付飲料容器。
【請求項５】
飲料容器本体の外面の左右に設けられたハンドルは、その下方が飲み口側に位置するように傾斜されていることを特徴とする、請求項１乃至４のいずれかに記載のストロー付飲料容器。
【発明の詳細な説明】
【０００１】
【発明の属する技術分野】
本発明は、容器にストローを挿入装着しておき必要に応じてそのストローによって容器内の飲料を飲むことができるようにしたストロー付飲料容器に関する。
【０００２】
【従来の技術及び発明が解決しようとする課題】
一般に、容器本体にストローを挿入装着しておき幼児等が何時でも飲み物を容易に飲むことができるようにしたストロー付飲料容器が提案され、実用に供されている。ところが、このようなストロー付飲料容器においては、特に熱湯を容器に入れた場合には、その熱によりストローキャップを開放したときにストローから熱湯が噴出することがある。そこで、容器本体或いはストローキャップに空気孔開閉バルブを設けておき、不用意に熱湯等が噴出することがないように使用前に空気孔開閉バルブを開けて圧抜きを行うようにしてある。
【０００３】
しかし、このように空気孔開閉バルブを設けたものにおいても、空気孔が開いている状態は「開」、閉じている状態は「閉」等の印が刻印されているけれども、使用中にどちらが開放状態なのか解らなくなったり、操作を忘れてしまったりして、蒸気の噴出が発生することがある等の問題がある。
【０００４】
また、ストローを取り付けるためには、容器本体の開口部にストローアダプターを螺着し、そのストローアダプターにストローを装着しているが、そのアダプターを締め付けるときにどの位置まで締め付ければ漏れがないかわかりにくく、さらに、アダプターを締め付けるときの滑り止めとして側面に小さな突起が設けられているだけなので、上記アダプターを漏れが生じない位置まで締め付けることが困難である等の問題がある。
【０００５】
一方、容器本体には容器本体を手で持つためのハンドルが取り付けられているが、そのハンドルは垂直方向に向いているため、手首の返し等がまだ器用にできない幼児には一人で容器を持って飲み物を飲むことが難しい等の問題もある。
【０００６】
本発明は、このような点に鑑み、意識的に圧抜き操作をする必要がないストロー付飲料容器を得ることを目的とする。また、ストローアダプターを漏れが生じない位置まで容易に締め付けることができ、或いは幼児がスムースに飲むことが出来るようにしたストロー付飲料容器を得ることを目的とする。
【０００７】
【課題を解決するための手段】
請求項１に係る発明は、飲料容器本体の開口部にストローアダプターを着脱可能に装着するとともに、そのストローアダプターにストローを装着したストロー付飲料容器において、上記ストローアダプターにそのストローアダプターに装着されたストローの吸い口部を覆うことができるストローキャップを装着するとともに、上記ストローキャップの開動作によって空気孔開閉バルブを開くようにし、上記飲料容器本体の外側面及び上記ストローアダプターの外周面に、上記ストローアダプターが所定の締め付け位置に回動されたときに互いに同一軸線状に位置する位置合わせ用突部が設けられており、ストローアダプターに装着されたストローキャップの揺動軸に、ストローキャップと同時に回動され、ストローキャップに設けられた空気孔を開閉する空気孔開閉バルブを装着し、ストローキャップの開方向への揺動によって空気孔開閉バルブが開方向に作動され、上記ストローキャップの揺動軸には、ストロー押さえが揺動自在に装着されており、ストローキャップには前記空気孔開閉バルブが開放した後に上記ストロー押さえをストロー解放方向に揺動させる駆動部が設けられていることを特徴とする。
【０００８】
請求項２に係る発明は、請求項１に係る発明において、ストローアダプターにストローキャップを水平軸線周りに揺動可能に装着するとともに、そのストローキャップを閉状態または開状態に保持するロック部材に空気孔開閉バルブの弁体を一体的に形成したことを特徴とする。
【０００９】
請求項３に係る発明は、請求項２に係る発明において、ロック部材に形成された弁体は、ストローアダプターに設けられた筒状の弁ケーシング内に同軸的に且つ回動可能に配設されるとともに、上下方向に延びる連通路を有し、ロック部材がストローキャップの閉状態解除方向に回動されたときに、上記連通路が上記弁ケーシングに形成された空気孔に連通され空気孔を開放するように構成されていることを特徴とする。
【００１３】
請求項４に係る発明は、請求項１乃至３のいずれかに係る発明において、ストローアダプターの側面には指掛かりが設けられていることを特徴とする。
【００１４】
請求項５に係る発明は、請求項１乃至４のいずれかに係る発明において、飲料容器本体の外面の左右に設けられたハンドルは、その下方が飲み口側に位置するように傾斜されていることを特徴とする。
【００１５】
【発明の実施の形態】
以下、添付図面を参照して本発明の実施の形態について説明する。
【００１６】
図１は本発明のストロー付飲料容器の一部断面側面図、図２は上記ストロー付飲料容器の平面図であり、図１に示すように、容器本体１の開口部にはストローアダプター２が着脱可能に螺着されている。上記ストローアダプター２内には周方向に延びるパッキン３が設けられており、容器本体１に装着されたストローアダプター２と容器本体１の開口端部との間のシールを行うようにしてある。
【００１７】
上記容器本体１及びストローアダプター２との外側面には、ストローアダプター２が容器本体１に対して所定の締め付け位置に回動されたときに互いに同一軸線上になる位置に、位置合わせ用突起１a、２aが設けられている。したがって、ストローアダプター２を容器本体１に装着して、ストローアダプター２と容器本体１の位置合わせ用突起１a、２aが同一軸線上になるまで回動することにより、ストローアダプター２を所定の締め付け状態とすることが出来、また所定の締め付け状態になったことを確認することが出来る。また、容器本体１の上部外周に設けられているネジの端部に軸線方向に延びるネジストッパーを設けておき、ストローアダプター２のネジが上記容器本体１のネジストッパーに当接することによりストローアダプター２の締め付け状態になったことを確認することができるようにしてもよい。さらに、ストローアダプター２の外側面には、図２に示すように、対角線位置に指掛かり２bが設けられており、その指掛かり２bに指を掛けることにより容易にストローアダプター２の回動締め付けを行うことが出来るようにしてある。
【００１８】
上記ストローアダプター２には筒状の弁ケーシング４が内側に突出するように形成されており、その弁ケーシング４内に筒状のパッキング５を介して空気孔開閉バルブを構成する弁体６が同軸的に且つその軸線周りに回動可能に嵌挿されている。弁体６の外面には軸線方向に延びる連通路７が形成されており、弁体６の頂部には、摘み８を有するロック部材９が一体に設けられている。一方、上記弁ケーシング４及びパッキング５の側壁部には空気孔１０が穿設されており、摘み８によりロック部材９を介して弁体６を回動することにより、空気孔１０が開閉され、その空気孔１０及び連通路７を介して容器本体１内が大気に連通或いは閉鎖されるようにしてある。
【００１９】
また、上記ストローアダプター２には、偏芯位置にストロー挿入口１１が穿設されており、そのストロー挿入口１１に図示しないストローが挿入装着されている。さらに、上記ストローアダプター２には弁体６の軸線に直交する軸線周りに揺動可能にストローキャップ１２が枢着されている。そして、そのストローキャップ１２の閉位置において、上記ストロー挿入口４を覆うことが出来るようにしてある。
【００２０】
ところで、上記ストローキャップ１２には揺動軸側に、ロック部材９の径より若干大きい径を有する半円弧状の切り欠き１２aが形成されており、その半円弧状の切り欠き１２aの内周中央部にロック片１３が突設されている。一方、前記ロック部材９には径方向に対向する位置に上記ロック片１３が挿通し得る切り欠き部９aが設けられており、前記弁体６が開位置に回動されたときに上記切り欠き部９aがストローキャップ１２のロック片１３と対応する位置に来るようにしてある。
【００２１】
しかして、常時においては、図１及び図２に示すように、弁体６及びストローキャップ１２は閉状態にあり、ストローキャップ１２のロック片１３の上方にロック部材９の周縁部が位置しており、ストローキャップ１２の開方向の揺動が阻止されロックされている。
【００２２】
そこで、この飲料容器内の飲み物を飲む場合には、図３及び図４に示すように、摘み８を開位置に回すと弁体６が９０°回動し、連通路７によって空気孔１０が開放され容器内の圧抜きが行われる。また、このときには、図４に示すように、ロック部材９の回動によりロック部材９の切り欠き部９aがロック片１３の上方に位置しており、ストローキャップ１２のロックが解除される。したがって、図５及び図６に示すように、ストローキャップ１２を開方向に揺動させることが出来る。しかして、ストローキャップ１２を開放すると、図５に一点鎖線で示すように、ストローが出てくる。そこで、ストローキャップ１２を反対側に倒し、ロック部材９を閉位置に戻すと、ロック部材９の周縁部がストローキャップ１２のロック片１３の上方に係合してストローキャップ１２のロックが行われる。したがって、上記ストローキャップ１２のロック状態でストローにより容器内の飲み物を飲むことが出来る。
【００２３】
このようにして飲み終わったら、ロック部材９を一端開位置に回動してロックを解放した後、ストローキャップ１２を元の位置に戻しロック部材９によりロックする。
【００２４】
このように、このストロー付飲料容器においてはストローキャップ１２を開放するためにロック部材９を回動することにより、空気孔開閉バルブが自動的に開放されるので、意識的に圧抜き操作を行う必要がなく、圧抜きを忘れるといった誤操作を防止することが出来る。
【００２５】
図７は、本発明の他の実施の形態を示す図であり、容器本体１の開口端部に装着するストローアダプター２にはストローキャップ２０が揺動可能に枢着されるとともに、そのストローアダプター２には上記ストローキャップ２０の揺動により開閉される空気孔２１及びストロー２２を装着するストロー挿入口２３が設けられている。
【００２６】
図８は、上記ストロー付飲料容器のストローキャップ２０を開放した状態の平面図であり（ストローは図示しない）、ストローアダプター２の上面にはほぼ平行に延びる２本のリブ２４が突出されており、そのリブ２４間に上記ストローキャップ２０が装着された軸２５が軸支されている。上記ストローキャップ２０には、図９に示すように、その基端側両端部にボス２０aが設けられ、そのボス２０a、２０aに軸２５が挿入されており、そのボス２０a、２０a間の中央部に前記空気孔２１を開閉する空気孔開閉バルブ２６が上記ストローキャップ２０に固着されている。上記空気孔開閉バルブ２６は弾性体により形成されており、その外周部の所定区間にわたって半径が大きくなる大径部２６aが設けられている。また、上記ストローキャップ２０には、空気孔開閉バルブ２６の両側部に、ストローキャップ２０が開方向に移動しているときに軸２５の下方で軸の周方向に延びる突部２７が突出されている。
【００２７】
一方、上記軸２５にはストロー押さえ２８が枢着されている。上記ストロー押さえ２８の基端部には、ストローキャップ２０が開方向に移動するとき上記突部２７が係合し、ストロー押さえ２８を開方向に回動させる係止片部２９が設けられ、その両側部に軸２５が挿入される軸受け部３０が設けられている。
【００２８】
また、ストローアダプター２の上面には、ストロー押さえ２８の両側部に設けられた小突部３１が係合し、そのストロー押さえ２８が初期位置にあるときストロー押さえ２８を保持する支持部３２が突設されている。
【００２９】
しかして、飲料容器本体内に飲み物を収容している場合には、ストローキャップ２０がストロー挿入口２３を覆う位置にあり、このときには空気孔開閉バルブ２６の大径部２６aにより空気孔２１が閉ざされた状態にある（図１０（ａ））。そこで、ストローキャップ２０を開方向に揺動すると、それとともに空気孔開閉バルブ２６が回動し空気孔２１が開放され、圧抜きが行われる（図１０（ｂ））。その後、ストローキャップ２０をさらに開方向に移動させると、ストローキャップ２０に設けられた突部２７がストロー押さえ２８の係止片部２９に当接しストロー押さえ２８が開方向に揺動され（図１０（ｃ））、図示しないストローが出てくる。そこで、ストローキャップ２０を開放側に完全に倒し、ストローアダプター２に固定することにより、空気孔開閉バルブ２６の大径部２６により空気孔２１が閉じられ、容器本体１内の飲み物を飲むことが出来る。
【００３０】
しかして、この実施の形態においても意識的に圧抜きを行う必要がなく、ストローキャップ２０の作動により自動的に空気孔が開放される。したがって、圧抜きを忘れる等の誤操作を防止することが出来る。
【００３１】
また、図１に示すように、容器本体１の側面に設けたハンドル３５の下方部が飲み口側に位置するように傾斜させることも出来る。この場合にはハンドルを真っ直ぐに握るだけで飲み口が傾き、手首を返さなくてもスムースに飲むことが出来る等の効果を奏する。
【００３２】
【発明の効果】
以上説明したように、本発明は、飲料容器本体の開口部にストローアダプターを着脱可能に装着するとともに、そのストローアダプターにストローを挿入装着したストロー付飲料容器において、上記ストローアダプターにそのストローアダプターに装着されたストローの吸い口部を覆うことができるストローキャップを装着するとともに、上記ストローキャップの開動作によって空気孔開閉バルブを開くようにしたので、ストローキャップの開動作により自動的に空気孔が開放されて圧抜きが行われ、意識的に圧抜きを行う必要がなく、圧抜きを忘れる等の誤操作を防止することが出来る。
【図面の簡単な説明】
【図１】本発明のストロー付飲料容器の一部断面側面図。
【図２】図１の平面図。
【図３】本発明のストロー付飲料容器におけるストローキャップのロック解除状態を示す図。
【図４】図３の平面図。
【図５】本発明のストロー付飲料容器におけるストローキャップを開放した状態を示す図。
【図６】図５の平面図。
【図７】本発明の他の実施の形態の縦断側面図。
【図８】図７に示すストロー付飲料容器のストローキャップを開放した状態を示す平面図。
【図９】ストローキャップ部の分解斜視図。
【図１０】（ａ）、（ｂ）、（ｃ）は、図７に示すストロー付飲料容器の作動説明図。
【符号の説明】
１  容器本体
２  ストローアダプター
３  パッキン
４  弁ケーシング
６  弁体
７  連通路
８  摘み
９  ロック部材
１０  空気孔
１１  ストロー挿入口
１２  ストローキャップ
１３  ロック片
２０  ストローキャップ
２１  空気孔
２３  ストロー挿入口
２６  空気孔開閉バルブ
２８  ストロー押さえ
２９  系止片部
３０  軸受け部
３５  ハンドル
【図１】
0004610777.tif 000002
【図２】
0004610777.tif 000003
【図３】
0004610777.tif 000004
【図４】
0004610777.tif 000005
【図５】
0004610777.tif 000006
【図６】
0004610777.tif 000007
【図７】
0004610777.tif 000008
【図８】
0004610777.tif 000009
【図９】
0004610777.tif 000010
【図１０】
0004610777.tif 000011